(57)【特許請求の範囲】
【請求項１】
先端部においてほぼ垂直な端縁部を形成した複数の刃部をそのシャフト部分の先端に備え、十字、三方、多角形等の形状からなるビット嵌合溝を有するねじに適用するねじ保持形ドライバービットからなり、
前記複数の刃部のいずれか１つの刃部に対しビット軸方向にその一部を切除してなる切除部分（１５、１５′）と、
前記シャフト部分の一部を前記切除部分からその延長線上において所定長さ切除して形成した長溝（１６）と、
前記刃部の先端を一部露呈させた状態で、前記長溝を形成したシャフトの外周を囲繞するように装着した保護スリーブ（２０）と、
前記刃部の切除部分およびその延長線上の長溝と前記保護スリーブとの間に、前記刃部と共にその先端部が前記保護スリーブより露呈し、前記切除部分に対し円周方向に偏位して位置するように挿入配置した弾性片（１８）とから構成し、
前記長溝は、切除された刃部の厚みより若干幅広に形成し、前記弾性片をシャフトの円周方向に一部屈曲（１８ｂ）させて挿入配置し、
前記保護スリーブは、シャフトに装着する後端部（２０ａ）において、シャフトの外周に設けた切欠部（１１ａ）に適合させてカシメ固定し、
前記弾性片の先端部は、ねじのビット嵌合溝に対して、そのねじ締め回転方向に対向して作用する弾力により嵌合し、ねじを保持する構成からなることを特徴とするねじ保持形ドライバービット。
【請求項２】
前記弾性片は、前記保護スリーブの後端部においてカシメ固定した部分の内部にその後端部を当接係止し、この弾性片の後端部に対応して前記長溝と直交する方向に設けた係止溝（１７Ｂ）に係合する係止突起（１９Ｂ）を設けたことを特徴とする請求項１記載のねじ保持形ドライバービット。
【請求項３】
先端部においてほぼ垂直な端縁部を形成した複数の刃部をそのシャフト部分の先端に備え、十字、三方、多角形等の形状からなるビット嵌合溝を有するねじに適用するねじ保持形ドライバービットからなり、
前記複数の刃部のいずれか１つの刃部に対しビット軸方向にその一部を切除してなる切除部分（１５、１５′）と、
前記シャフト部分の一部を前記切除部分からその延長線上において所定長さ切除して形成した長溝（１６）と、
前記刃部の先端を一部露呈させた状態で、前記長溝を形成したシャフトの外周を囲繞するように装着した保護スリーブ（２０）と、
前記刃部の切除部分およびその延長線上の長溝と前記保護スリーブとの間に、前記刃部と共にその先端部が前記保護スリーブより露呈し、前記切除部分に対し円周方向に偏位して位置するように挿入配置した弾性片（１８）とから構成し、
前記長溝は、切除された刃部の厚みとほぼ等幅に形成すると共に、切除された刃部の位置に対して円周方向に偏位させて形成し、前記弾性片を屈曲させることなく挿入配置し、
前記保護スリーブは、シャフトに装着する後端部（２０ａ）において、シャフトの外周に設けた切欠部（１１ａ）に適合させてカシメ固定し、
前記弾性片の先端部は、ねじのビット嵌合溝に対して、そのねじ締め回転方向に対向して作用する弾力により嵌合し、ねじを保持する構成からなることを特徴とするねじ保持形ドライバービット。
【請求項４】
前記弾性片は、前記保護スリーブの後端部においてカシメ固定した部分の内部にその後端部を当接係止し、この弾性片の後端部に対応して前記長溝と直交する方向に設けた係止溝（１７Ａ）に係合する係止突起（１９Ａ）を設けたことを特徴とする請求項３記載のねじ保持形ドライバービット。
【請求項５】
先端部においてほぼ垂直な端縁部を形成した複数の刃部をそのシャフト部分の先端に備え、十字、三方、多角形等の形状からなるビット嵌合溝を有するねじに適用するねじ保持形ドライバービットからなり、
前記複数の刃部のいずれか１つの刃部に対しビット軸方向にその一部を切除してなる切除部分（１５、１５′）と、
前記シャフト部分の一部を前記切除部分からその延長線上において所定長さ切除して形成した長溝（１６）と、
前記刃部の先端を一部露呈させた状態で、前記長溝を形成したシャフトの外周を囲繞するように装着した保護スリーブ（２０）と、
前記刃部の切除部分およびその延長線上の長溝と前記保護スリーブとの間に、前記刃部と共にその先端部が前記保護スリーブより露呈し、前記切除部分に対し半径方向に偏位して位置するように挿入配置した弾性片（１８）とから構成し、
前記長溝は、切除された刃部の厚みと等幅または若干幅広に形成し、前記弾性片をシャフトの半径方向に一部屈曲（１８ｂ）させて挿入配置し、
前記保護スリーブは、シャフトに装着する後端部（２０ａ）において、シャフトの外周に設けた切欠部（１１ａ）に適合させてカシメ固定し、
前記弾性片の先端部は、ねじのビット嵌合溝に対して、その半径方向に対向して作用する弾力により嵌合し、ねじを保持する構成からなることを特徴とするねじ保持形ドライバービット。
【請求項６】
先端部においてほぼ垂直な端縁部を形成した複数の刃部をそのシャフト部分の先端に備え、十字、三方、多角形等の形状からなるビット嵌合溝を有するねじに適用するねじ保持形ドライバービットからなり、
前記複数の刃部のいずれか１つの刃部に対しビット軸方向にその一部を切除すると共に、前記ビットの前記シャフト部分の一部を前記切除された刃部から所定長さ切除して形成した切除部分（１５″）と、
前記刃部の先端を一部露呈させた状態で、前記切除部分を形成したシャフトの外周を囲繞するように装着した保護スリーブ（２０）と、
前記刃部およびその延長線上の切除部分と前記保護スリーブとの間に、前記刃部と共にその先端部が前記保護スリーブより露呈し、前記切除部分に対し円周方向に偏位して位置するように挿入配置した弾性片（１８）とから構成し、
前記刃部および弾性片を囲繞するようにシャフトの外周に装着する保護スリーブの一部を折り曲げて折曲成形部（２１）を形成して、前記弾性片を挿入配置するための案内通路（２２）を構成し、
前記保護スリーブは、シャフトに装着する後端部（２０ａ）において、シャフトの外周に設けた切欠部（１１ａ）に適合させてカシメ固定し、
前記弾性片の先端部は、ねじのビット嵌合溝に対して、そのねじ締め回転方向に対向して作用する弾力により嵌合し、ねじを保持する構成からなることを特徴とするねじ保持形ドライバービット。
【請求項７】
先端部においてほぼ垂直な端縁部を形成した複数の刃部をそのシャフト部分の先端に備え、十字、三方、多角形等の形状からなるビット嵌合溝を有するねじに適用するねじ保持形ドライバービットからなり、
前記複数の刃部のいずれか１つの刃部に対しビット軸方向にその一部を切除すると共に、前記ビットの前記シャフト部分の一部を前記切除された刃部から所定長さ切除して形成した切除部分（１５″）と、
前記刃部の先端を一部露呈させた状態で、前記切除部分を形成したシャフトの外周を囲繞するように装着した保護スリーブ（２０）と、
前記刃部およびその延長線上の切除部分と前記保護スリーブとの間に、前記刃部と共にその先端部が前記保護スリーブより露呈し、前記切除部分に対し円周方向に偏位して位置するように挿入配置した弾性片（１８）とから構成し、
前記切除部分は、前記弾性片の一部を保持するように前記切除部分に逆Ｕ字形の保持ピン（２３）を設けて、前記弾性片を挿入配置するための案内通路（２４）を構成し、
前記保護スリーブは、シャフトに装着する後端部（２０ａ）において、シャフトの外周に設けた切欠部（１１ａ）に適合させてカシメ固定し、
前記弾性片の先端部は、ねじのビット嵌合溝に対して、そのねじ締め回転方向に対向して作用する弾力により嵌合し、ねじを保持する構成からなることを特徴とするねじ保持形ドライバービット。
【発明の詳細な説明】
【０００１】
【発明の属する技術分野】
本発明は、ねじ保持形ドライバービット及びこのドライバービットに適合するねじとの組合せに関するものである。
【０００２】
【従来の技術】
本出願人は、先に、ねじ頭部に形成したスリワリに対してドライバーの刃先を嵌合させるに際し、ドライバーの刃先にねじ頭部を付着保持させて、所望の位置へ運び、ねじ込み動作を確実に行う手段として、ドライバーの刃先部に係止ピンを設け、この係止ピンの弾性力を利用して、刃先部とねじ頭部のスリワリとを嵌合密着させるように構成したドライバーを種々開発し、それぞれ特許を得た（特公昭４６−３１７１９号公報、特公昭４７−５９６号公報、特公昭４８−９４４０号公報）。
【０００３】
これらのねじ保持手段を備えたドライバーは、先端部に刃片挾持溝と刃片挿入孔とを設けたドライバービットホルダーに、前記ドライバービットホルダーの直径より幅広の刃片主部と、その上縁中央部より側面において若干撓曲しながら延在する支持尾部とを有し、前記支持尾部の上端部一側面に弾性ピンの一端部を固着すると共に、その他端部を前記刃片主部の下縁中央部に設けた係止突起部の下端部付近まで延在させて、弾性ピンが刃片に対して離反するように構成したねじ保持用ピン付き刃片を着脱自在に嵌合した構成からなるものである。
【０００４】
また、このように構成されたねじ保持手段を備えたドライバーは、ねじ頭部にその中心部を横断するように形成した直線溝からなるスリワリを有し、この直線溝の中心部にその直線溝の溝幅より径大の直径からなる係止孔を設けた特殊ねじを対象とするものであった。従って、今日のように多様なねじ嵌合溝を有する多種類のねじに対し、この種のねじ保持手段を備えたドライバーを、全て適用可能とすることは困難である。
【０００５】
そこで、従来において、ねじに対し正確、確実、容易かつ安全に着脱させることができる動力工具として、ねじを回転させる回転軸を有する動力工具の非回転部に固定される筒部材と；前記筒部材の内周側に所定の寸法だけ軸方向にスライドできるように嵌合され、前記と動力工具の回転軸が挿入される軸方向貫通孔を有するスライド部材と；前記スライド部材を前記筒部材から突出する方向に付勢するスライド付勢部材と；先端内側に設けられた末広がりのねじ頭部案内面と、前記案内面の後方に連なり、前記ねじの軸芯が前記回転軸の軸芯に一致するようにねじの頭部を支持するねじ頭部把持面とを有し、径方向に開閉可能に前記スライド部材に取り付けられたチャッキング部材と；前記チャッキング部材を閉方向に付勢する閉じ方向付勢部材と；を備えた構成からなるものが提案されている（特開平７−３２８９４６号公報）。
【０００６】
このように構成された動力工具は、前記スライド部材が前記スライド付勢部材の付勢力に抗して筒部材に所定の寸法だけ没入されたときに、前記スライド部材の外周面に沿ってほぼ等間隔に３個所に配置されたツメ部からなるチャッキング部材が、筒部材によって閉状態にロックされる一方、前記スライド部材が前記スライド付勢部材の付勢力に従って筒部材から突出しているときに、前記チャッキング部材のロックが解除されるように構成されている。
【０００７】
また、代案として、電動工具のねじ保持装置として、先端にビットが着脱可能に取り付けられる係合軸と、この係合軸に摺動可能、逸脱不可に取り付けられ、少なくとも３本の弾性保持片が互いにその先端が拡開する方向に配置されると共に、この弾性保持片の周囲が先端開放筒状のカバーで覆われたねじの保持部と、この保持部を前記係合軸の先端方向に付勢する付勢手段と、を具備した構成からなるものが提案されている（特開平８−７１９３９号公報）。
【０００８】
このように構成されたねじ保持装置は、電動工具の駆動軸に連結され、先端に対応したビットが取り付けられたねじ保持装置のカバーの先端開口部からねじの頭部を圧入すると、弾性保持片を外側に湾曲させることにより、ねじ頭部がそのへ字形の屈曲部を乗り越えてビットと係合する位置まで挿入される。この状態で前記弾性保持片は自身の弾性力で復元し、ねじの首部周囲に圧接して、ねじを抜け止め状に保持することができるように構成されている。
【０００９】
【発明が解決しようとする課題】
しかるに、前述した構成からなる従来のねじ保持手段を備えたドライバーにおいては、いずれもねじ頭部に形成したビット嵌合溝に嵌合させて保持するものではなく、ねじ頭部の外周をチャッキング部材で弾力的にチャッキングしたり、あるいはねじの首部周囲を弾性保持片で圧接保持したりするものである。従って、前記従来のねじ保持手段を備えたドライバーは、磁石を利用しないという有利性を持つ反面、チャッキング部材や弾性保持片の形状および構造が複雑になると共に、部品点数が多くなり製造に手間が掛かるばかりでなく、製造コストも増大する等の難点がある。
【００１０】
本出願人は、先に、ねじとドライバービットの組合せにおいて、ねじの頭部に形成したビット嵌合溝における溝部の構成を改善することにより、ねじ締め作業に際して、ドライバービットのカムアウト現象を有効に防止し、従来におけるようなねじの破損を防止すると共に、仮にねじのビット嵌合溝部分に破損を生じても、常に適正かつ迅速なねじ締め作業を達成し、作業能率を著しく向上することができるねじとドライバービットの組合せを開発し、特許出願を行った（特開平８−１４５０２４号公報）。
【００１１】
すなわち、前記提案に係るねじとドライバービットの組合せは、ねじ頭部のビット嵌合溝の端縁部に所定深さの垂直端壁部を形成し、この垂直端壁部から水平段部をそれぞれ設け、これら水平段部からねじ頸部の中心部に指向してそれぞれ傾斜溝部を延在形成すると共に、その底部においてほぼ円錐底面を形成し、前記水平段部の近傍に係合する翼部を備えたドライバービットと適合するように構成したものである。
【００１２】
従って、このように構成されたねじは、ドライバービットの先端とビット嵌合溝との嵌合に際して、ビット嵌合溝の全体に対するテーパ接触面積を部分的にかつ少なく構成し、しかも隣接するビット嵌合溝間の境界部におけるドライバービットの先端が当接する側壁部の面積を拡大するように垂直端壁部および水平段部を設けたことにより、ドライバービットのカムアウト現象を確実に防止することができる利点を有する。そして、この様に構成されたねじに対しては、ねじのビット嵌合溝の端縁部に形成した水平段部に係合するほぼ直角な縁部を有する翼部をそれぞれ設けることにより、前記ねじに最も適合したドライバービットを得ることができることが確認された。
【００１３】
そこで、本発明者は、種々検討並びに試作を重ねた結果、先端部においてほぼ垂直な端縁部を形成した複数の刃部を備え、前記いずれかの刃部に対しビット軸方向に刃部の一部を切除すると共に、その刃部の切除部分のほぼ延長上において連続するシャフト部分に所要長さの案内通路としての長溝を刻設し、前記長溝内に、前記ねじ頭部のビット嵌合溝に対し弾力的に当接し、前記ビット嵌合溝に嵌入する刃部との相互作用によって、ねじ保持機能を有する弾性片を挿入配置した構成とすることにより、比較的簡単な構成にして、製造も容易かつ低コストに製造することができる、汎用性のあるねじ保持形ドライバービット及びねじとの組合せを得ることができることを突き止めた。
【００１４】
従って、本発明の目的は、ドライバービットの刃部の構造を改善することにより、カムアウト現象を有効に防止することができ、しかも簡単な構成で低コストに製造することができると共に、常に適正かつ迅速なねじ締め作業を可能にして、作業能率を著しく向上することができるねじ保持形ドライバービット及びねじとの組合せを提供することにある。
【００１５】
【課題を解決するための手段】
前記の目的を達成するため、本発明の請求項１に記載のねじ保持形ドライバービットは、先端部においてほぼ垂直な端縁部を形成した複数の刃部をそのシャフト部分の先端に備え、十字、三方、多角形等の形状からなるビット嵌合溝を有するねじに適用するねじ保持形ドライバービットからなり、
前記複数の刃部のいずれか１つの刃部に対しビット軸方向にその一部を切除してなる切除部分（１５、１５′）と、
前記シャフト部分の一部を前記切除部分からその延長線上において所定長さ切除して形成した長溝（１６）と、
前記刃部の先端を一部露呈させた状態で、前記長溝を形成したシャフトの外周を囲繞するように装着した保護スリーブ（２０）と、
前記刃部の切除部分およびその延長線上の長溝と前記保護スリーブとの間に、前記刃部と共にその先端部が前記保護スリーブより露呈し、前記切除部分に対し円周方向に偏位して位置するように挿入配置した弾性片（１８）とから構成し、
前記長溝は、切除された刃部の厚みより若干幅広に形成し、前記弾性片をシャフトの円周方向に一部屈曲（１８ｂ）させて挿入配置し、
前記保護スリーブは、シャフトに装着する後端部（２０ａ）において、シャフトの外周に設けた切欠部（１１ａ）に適合させてカシメ固定し、
前記弾性片の先端部は、ねじのビット嵌合溝に対して、そのねじ締め回転方向に対向して作用する弾力により嵌合し、ねじを保持する構成からなることを特徴とする。
【００１６】
本発明の請求項２に記載のねじ保持形ドライバービットは、前記弾性片が、前記保護スリーブの後端部においてカシメ固定した部分の内部にその後端部を当接係止し、この弾性片の後端部に対応して前記長溝と直交する方向に設けた係止溝（１７Ｂ）に係合する係止突起（１９Ｂ）を設けたことを特徴とする。
【００１７】
本発明の請求項３に記載のねじ保持形ドライバービットは、先端部においてほぼ垂直な端縁部を形成した複数の刃部をそのシャフト部分の先端に備え、十字、三方、多角形等の形状からなるビット嵌合溝を有するねじに適用するねじ保持形ドライバービットからなり、
前記複数の刃部のいずれか１つの刃部に対しビット軸方向にその一部を切除してなる切除部分（１５、１５′）と、
前記シャフト部分の一部を前記切除部分からその延長線上において所定長さ切除して形成した長溝（１６）と、
前記刃部の先端を一部露呈させた状態で、前記長溝を形成したシャフトの外周を囲繞するように装着した保護スリーブ（２０）と、
前記刃部の切除部分およびその延長線上の長溝と前記保護スリーブとの間に、前記刃部と共にその先端部が前記保護スリーブより露呈し、前記切除部分に対し円周方向に偏位して位置するように挿入配置した弾性片（１８）とから構成し、
前記長溝は、切除された刃部の厚みとほぼ等幅に形成すると共に、切除された刃部の位置に対して円周方向に偏位させて形成し、前記弾性片を屈曲させることなく挿入配置し、
前記保護スリーブは、シャフトに装着する後端部（２０ａ）において、シャフトの外周に設けた切欠部（１１ａ）に適合させてカシメ固定し、
前記弾性片の先端部は、ねじのビット嵌合溝に対して、そのねじ締め回転方向に対向して作用する弾力により嵌合し、ねじを保持する構成からなることを特徴とする。
【００１８】
本発明の請求項４に記載のねじ保持形ドライバービットは、前記弾性片が、前記保護スリーブの後端部においてカシメ固定した部分の内部にその後端部を当接係止し、この弾性片の後端部に対応して前記長溝と直交する方向に設けた係止溝（１７Ａ）に係合する係止突起（１９Ａ）を設けたことを特徴とする。
【００１９】
本発明の請求項５に記載のねじ保持形ドライバービットは、先端部においてほぼ垂直な端縁部を形成した複数の刃部をそのシャフト部分の先端に備え、十字、三方、多角形等の形状からなるビット嵌合溝を有するねじに適用するねじ保持形ドライバービットからなり、
前記複数の刃部のいずれか１つの刃部に対しビット軸方向にその一部を切除してなる切除部分（１５、１５′）と、
前記シャフト部分の一部を前記切除部分からその延長線上において所定長さ切除して形成した長溝（１６）と、
前記刃部の先端を一部露呈させた状態で、前記長溝を形成したシャフトの外周を囲繞するように装着した保護スリーブ（２０）と、
前記刃部の切除部分およびその延長線上の長溝と前記保護スリーブとの間に、前記刃部と共にその先端部が前記保護スリーブより露呈し、前記切除部分に対し半径方向に偏位して位置するように挿入配置した弾性片（１８）とから構成し、
前記長溝は、切除された刃部の厚みと等幅または若干幅広に形成し、前記弾性片をシャフトの半径方向に一部屈曲（１８ｂ）させて挿入配置し、
前記保護スリーブは、シャフトに装着する後端部（２０ａ）において、シャフトの外周に設けた切欠部（１１ａ）に適合させてカシメ固定し、
前記弾性片の先端部は、ねじのビット嵌合溝に対して、その半径方向に対向して作用する弾力により嵌合し、ねじを保持する構成からなることを特徴とする。
【００２０】
本発明の請求項６に記載のねじ保持形ドライバービットは、先端部においてほぼ垂直な端縁部を形成した複数の刃部をそのシャフト部分の先端に備え、十字、三方、多角形等の形状からなるビット嵌合溝を有するねじに適用するねじ保持形ドライバービットからなり、
前記複数の刃部のいずれか１つの刃部に対しビット軸方向にその一部を切除すると共に、前記ビットの前記シャフト部分の一部を前記切除された刃部から所定長さ切除して形成した切除部分（１５″）と、
前記刃部の先端を一部露呈させた状態で、前記切除部分を形成したシャフトの外周を囲繞するように装着した保護スリーブ（２０）と、
前記刃部およびその延長上の切除部分と前記保護スリーブとの間に、前記刃部と共にその先端部が前記保護スリーブより露呈し、前記切除部分に対し円周方向に偏位して位置するように挿入配置した弾性片（１８）とから構成し、
前記刃部および弾性片を囲繞するようにシャフトの外周に装着する保護スリーブの一部を折り曲げて折曲成形部（２１）を形成して、前記弾性片を挿入配置するための案内通路（２２）を構成し、
前記保護スリーブは、シャフトに装着する後端部（２０ａ）において、シャフトの外周に設けた切欠部（１１ａ）に適合させてカシメ固定し、
前記弾性片の先端部は、ねじのビット嵌合溝に対して、そのねじ締め回転方向に対向して作用する弾力により嵌合し、ねじを保持する構成からなることを特徴とする。
【００２１】
本発明の請求項７に記載のねじ保持形ドライバービットは、先端部においてほぼ垂直な端縁部を形成した複数の刃部をそのシャフト部分の先端に備え、十字、三方、多角形等の形状からなるビット嵌合溝を有するねじに適用するねじ保持形ドライバービットからなり、
前記複数の刃部のいずれか１つの刃部に対しビット軸方向にその一部を切除すると共に、前記ビットの前記シャフト部分の一部を前記切除された刃部から所定長さ切除して形成した切除部分（１５″）と、
前記刃部の先端を一部露呈させた状態で、前記切除部分を形成したシャフトの外周を囲繞するように装着した保護スリーブ（２０）と、
前記刃部およびその延長線上の切除部分と前記保護スリーブとの間に、前記刃部と共にその先端部が前記保護スリーブより露呈し、前記切除部分に対し円周方向に偏位して位置するように挿入配置した弾性片（１８）とから構成し、
前記切除部分は、前記弾性片の一部を保持するように前記切除部分に逆Ｕ字形の保持ピン（２３）を設けて、前記弾性片を挿入配置するための案内通路（２４）を構成し、
前記保護スリーブは、シャフトに装着する後端部（２０ａ）において、シャフトの外周に設けた切欠部（１１ａ）に適合させてカシメ固定し、
前記弾性片の先端部は、ねじのビット嵌合溝に対して、そのねじ締め回転方向に対向して作用する弾力により嵌合し、ねじを保持する構成からなることを特徴とする。
【００２７】
【発明の実施の形態】
次に、本発明に係るねじ保持形ドライバービット及びねじとの組合せに関する実施例につき、添付図面を参照しながら以下詳細に説明する。
【００２８】
【実施例１】
図１ないし図４は、本発明に係るねじ保持形ドライバービットの一実施例を示すものである。そして、図５および図６は、本実施例に係るねじ保持形ドライバービットに適合するねじの一実施例を示すものである。すなわち、図１ないし図４および図５、図６において、参照符号１０は本実施例のねじ保持形ドライバービットの要部を示し、このドライバービット１０のシャフト１１の先端における刃部１２の先端部１２ａは、ねじ３０のねじ頭部３０ａの中心部において、十字溝として形成されたビット嵌合溝３２に適合するように構成される。
【００２９】
従って、本実施例のねじ保持形ドライバービット１０は、前記ねじ３０のビット嵌合溝３２に嵌合し、このビット嵌合溝３２の開口端縁部３２ａに形成したほぼ垂直な端壁部３３ａおよび両側壁部３３ｂ、３３ｂと円錐底部３４とに対して、それぞれ係合するほぼ垂直な端縁部１３を形成した複数（図示例においては４つ）の扁平刃部１２を備えると共に、前記ビット嵌合溝３２の端壁部３３ａよりねじ頸部３０ｂの中心部に指向して形成された円錐底部３４に対応させて、前記扁平刃部１２の先端中心部を水平面に対しほぼ１°〜４５°の傾斜角度θ、好適には２５°〜３５°の傾斜角度θを有する円錐状の突起部１４としてそれぞれ構成したものである。
【００３０】
そこで、本実施例におけるねじ保持形ドライバービット１０は、先端部１２ａにおいてほぼ垂直な端縁部１３を形成した複数の扁平刃部１２について、そのいずれかの扁平刃部１２に対し、ビット軸方向に扁平刃部１２の一部を切除すると共に、その扁平刃部の切除部分１５のほぼ延長線Ｌ上において、連続するシャフト１１の部分に所要長さの長溝１６を刻設する。そして、この長溝１６内に、前記ねじ頭部３０ａのビット嵌合溝３２のほぼ垂直な側壁面３３ｂに対し弾力的に当接し、前記ビット嵌合溝３２に嵌入する扁平刃部１２との関係において、ねじ保持機能を有する弾性片１８を挿入配置した構成からなる。そして、前記長溝１６内にねじ保持機能を有する弾性片１８を挿入配置したシャフト１１の外周には、前記扁平刃部１２の先端突起部１２ａと弾性片１８の先端部１８ａとをそれぞれ露呈させた状態で囲繞する保護スリーブ２０を装着した構成とする。なお、この保護スリーブ２０は、例えばシャフト１１に対する装着端部２０ａにおいて、シャフト１１の外周の一部に設けた切欠部１１ａに適合させて、カシメ固定させることができる。
【００３１】
この場合、前記ねじ保持機能を有する弾性片１８の先端部１８ａは、先端部１２ａが切除された扁平刃部１２に対し、円周方向に偏位して位置するように前記長溝１６内に挿入配置した構成とする（図２ないし図４参照）。このため、前記長溝１６は、切除された扁平刃部の厚みより若干幅広に刻設し、前記ねじ保持機能を有する弾性片１８をシャフト１１の円周方向において一部屈曲させて挿入配置する（図４参照）。このように構成することにより、前記弾性片１８は、長溝１６内においてその屈曲弾力により自己保持させることができると共に、弾性片１８の先端部１８ａを、切除された扁平刃部の位置より偏位させて位置決めすることができる。すなわち、図示例において、長溝１６内に挿入される弾性片１８は、その一部１８ｂにおいて屈曲させており、これにより弾性片１８のねじ保持機能を有する先端部１８ａは、ドライバービット１０のねじ締め回転方向に対し、回転後方側（ビット嵌合溝３２の側壁部３３ｂ側）に偏位するように設定されている。
【００３２】
なお、図６において、本実施例におけるねじ３０のビット嵌合溝３２は、従来において公知のＪＩＳ（日本工業規格）に基づく開口部寸法ｍによって形成されている。すなわち、ビット嵌合溝３２の開口端縁部３２ａより所要の深さに、約１．５〜５°程度の抜きテーパ（ヘッダーパンチの抜け角度γ）を有するほぼ垂直な端壁部３３ａおよび両側壁部３３ｂ、３３ｂをそれぞれ形成し、前記端壁部３３ａの下縁部３２ａ′より若干のほぼ水平な段部３４を経て、ねじ頸部３０ｂの中心部に指向して約２５°〜３５°の傾斜角度αからなる円錐底面３５を形成した構成からなる。
【００３３】
次に、前述した本実施例に係るねじ保持形ドライバービット１０（図４参照）と、これに適合するねじ３０（図６参照）との、結合操作について説明する。
【００３４】
図５および図６は、前記図４に示すねじ保持形ドライバービット１０とねじ３０との結合状態を示すものである。すなわち、図５は、ねじ３０のねじ頭部３０ａに形成したビット嵌合溝３２に、ねじ保持形ドライバービット１０の扁平刃部１２の先端部分と弾性片１８の先端部分とがそれぞれ嵌合した状態を示している。この場合、前記弾性片１８の先端部分は、ねじ保持形ドライバービット１０のねじ締め回転方向Ｒに対し、回転後方側のビット嵌合溝３２の側壁部３３ｂに弾力的に当接する。この結果、前記ねじ頭部３０ａのビット嵌合溝３２の側壁部３３ｂに弾力的に当接した弾性片１８は、前記ビット嵌合溝３２に嵌合したねじ保持形ドライバービット１０の扁平刃部１２との相互作用によって、ねじ保持機能を有効に発揮することができる。
【００３５】
なお、本実施例において、図５に示すねじ保持形ドライバービット１０とねじ３０との結合を行う場合、図６に示すように、扁平刃部１２の先端部分をねじ頭部３０ａのビット嵌合溝３２に嵌合させる際に、弾性片１８の先端部１８ａが、破線で示すように、ビット嵌合溝３２の開口端縁部３２ａに当接する。そこで、ねじ保持形ドライバービット１０を上方から押圧することにより、前記弾性片１８の先端部１８ａは弾力的に偏位しながら、実線で示すように、ビット嵌合溝３２に嵌合する。これにより、ビット嵌合溝３２に嵌合した弾性片１８の先端部１８ａは、ビット嵌合溝３２の側壁部３３ｂに弾力的に当接することになる。そこで、この場合、前記弾性片１８の先端部１８ａを、ビット嵌合溝３２内に円滑に嵌合させるため、図示のように傾斜面とすることが好ましい。
【００３６】
【実施例２】
図７および図８は、本発明に係るねじ保持形ドライバービットの前述した実施例の変形例を示すものである。すなわち、本実施例においては、ねじ保持形ドライバービット１０に設ける長溝１６を、切除された扁平刃部とほぼ等幅に設定すると共に、その扁平刃部の位置に対し、円周方向に偏位させて刻設し、前記ねじ保持機能を有する弾性片１８を屈曲させることなく、その後端部１８ｃを前記長溝１６内に係止させて挿入配置した構成としたものである。この場合、シャフト１１の前記長溝１６の後端部１６ａに、係止凹部１７を刻設すると共に、前記弾性片１８の後端部１８ｃに、前記係止凹部１７Ａに係合する係止突起１９Ａを設けた構成からなる。その他の構成は、前述した実施例１に記載のねじ保持形ドライバービット１０と同じである。
【００３７】
このように構成した本実施例のねじ保持形ドライバービット１０においては、ねじ保持形ドライバービット１０の長溝１６内に挿入配置された弾性片１８の先端部１８ａは、切除された扁平刃部の位置に対し、円周方向に偏位しているため、前述した実施例１の図５および図６に示す場合と同様に、ねじ保持形ドライバービット１０によるねじ３０に対するねじ保持を確実に行って、円滑なねじ締め作業を容易に達成することができる。
【００３８】
【実施例３】
図９は、本発明に係るねじ保持形ドライバービットの前述した実施例２のさらに別の変形例を示すものである。すなわち、本実施例においては、ねじ保持機能を有する弾性片１８の後端部１８ｃを、ねじ保持形ドライバービット１０の長溝１６内に係止させる手段として、シャフト１１の前記長溝１６の後端部１６ａにおいて、この長溝１６と直交する方向に係止溝１７Ｂを設けると共に、前記弾性片１８の後端部１８ｃに、前記係止溝１７Ｂに係合する係止突起１９Ｂを設けた構成からなる。従って、このように構成した本実施例のねじ保持形ドライバービット１０においては、前述した実施例２と全く同様に、ねじ保持形ドライバービット１０によるねじ３０に対するねじ保持を確実に行って、円滑なねじ締め作業を容易に達成することができる。
【００３９】
【実施例４】
図１０および図１１は、本発明に係るねじ保持形ドライバービットの他の実施例を示すものである。すなわち、本実施例においては、ねじ保持機能を有する弾性片１８の先端部１８ａは、切除された扁平刃部に対し、半径方向外方に偏位して位置するように前記長溝１６内に挿入配置した構成としたものである。この場合、前記長溝１６は、切除された扁平刃部の厚みとほぼ等幅ないし若干幅広に刻設し、ねじ保持機能を有する弾性片１８をシャフト１１の半径方向に一部屈曲させて挿入配置した構成とする。すなわち、図示例において、長溝１６内に挿入される弾性片１８は、その一部１８ｂにおいて屈曲させており、これにより弾性片１８のねじ保持機能を有する先端部１８ａは、扁平刃部１２に対して半径方向外方（ビット嵌合溝３２の端壁部３３ａ側）に偏位するように設定されている。
【００４０】
従って、このように構成した本実施例のねじ保持形ドライバービット１０においては、ねじ保持形ドライバービット１０の長溝１６内に挿入配置された弾性片１８の先端部１８ａは、切除された扁平刃部の位置に対し、半径方向外方に偏位しているため、ビット嵌合溝３２の端壁部３３ａに弾力的に当接する。この結果、前記ねじ頭部３０ａのビット嵌合溝３２の端壁部３３ａに弾力的に当接した弾性片１８は、前記ビット嵌合溝３２に嵌合したねじ保持形ドライバービット１０の扁平刃部１２との相互作用によって、ねじ保持機能を有効に発揮することができる。
【００４１】
【実施例５】
図１２は、本発明に係るねじ保持形ドライバービットに適用するねじの別の実施例を示すものである。すなわち、本実施例においては、ねじ頭部３０ａのビット嵌合溝３２として、前述した実施例１に示すねじ３０のビット嵌合溝３２の交差する一方の直線溝をマイナスドライバービットとの嵌合が可能となるように構成したプラマイねじ３０Ａと、実施例１のねじ保持形ドライバービット１０Ａとの組合せからなるものである。従って、図１２は、前述した図５と同様に示す、ねじ保持形ドライバービット１０Ａによるねじ保持状態におけるプラマイねじ３０Ａのねじ頭部の要部断面平面図を示している。
このように構成した本実施例のねじ保持形ドライバービット１０Ａと、プラマイねじ３０Ａとの組合せにおいても、図示のように確実にねじ保持を行って、円滑なねじ締め作業を容易に達成することができる。
【００４２】
【実施例６】
図１３は、本発明に係るねじ保持形ドライバービットとこれに適合するねじの別の実施例を示すものである。本実施例においては、ねじ頭部３０ａのビット嵌合溝３２として、ねじ頭部３０ａの中心部から三方向に分岐した三方溝として構成したねじ３０Ｂと、このねじ３０Ｂのビット嵌合溝３２と適合するように扁平刃部１２を備えたねじ保持形ドライバービット１０Ｂとの組合せからなるものである。そこで、本実施例のねじ保持形ドライバービット１０Ｂにおいては、前述した実施例のねじ保持形ドライバービット１０と同様に、いずれかの扁平刃部１２に対しビット軸方向に扁平刃部１２を切除すると共に、その扁平刃部の切除された切除部分１５のほぼ延長上において連続するシャフト１１部分に所要長さの長溝１６を刻設し、前記長溝１６内に、前記ねじ頭部３０ａのビット嵌合溝３２に対し弾力的に当接し、前記嵌合溝３２に嵌入する扁平刃部１２との相互作用によってねじ保持機能を有する弾性片１８を挿入配置した構成としたものである。このように構成した本実施例のねじ保持形ドライバービット１０Ｂと、ねじ３０Ｂとの組合せにおいても、図示のように確実にねじ保持を行って、円滑なねじ締め作業を容易に達成することができる。
【００４３】
【実施例７】
図１４は、本発明に係るねじ保持形ドライバービットとこれに適合するねじのさらに別の実施例を示すものである。本実施例においては、ねじ頭部３０ａのビット嵌合溝３２として、変形六角穴を設けたねじ３０Ｃと、このねじ３０Ｃのビット嵌合溝３２と適合するように変形六角形の角部１２′を備えたねじ保持形ドライバービット１０Ｃとの組合せからなるものである。そこで、本実施例のねじ保持形ドライバービット１０Ｃにおいては、前述した実施例のねじ保持形ドライバービット１０と同様に、変形六角形の角部１２′のいずれかの角部に対しビット軸方向に角部を切除すると共に、その角部の切除された切除部分１５′のほぼ延長上において連続するシャフト１１部分に所要長さの長溝１６を刻設し、前記長溝１６内に、前記ねじ頭部３０ａのビット嵌合溝３２に対し弾力的に当接し、前記嵌合溝３２に嵌入する変形六角形の角部１２′との相互作用によってねじ保持機能を有する弾性片１８を挿入配置した構成としたものである。
このように構成した本実施例のねじ保持形ドライバービット１０Ｃと、ねじ３０Ｃとの組合せにおいても、図示のように確実にねじ保持を行って、円滑なねじ締め作業を容易に達成することができる。
【００４４】
【実施例８】
図１５は、本発明に係るねじ保持形ドライバービット１０の弾性片１８を挿入配置する案内通路の別の実施例を示すものである。すなわち、本実施例においては、前述した実施例１のねじ保持形ドライバービット１０の組立てに際し、いずれかの扁平刃部１２に対し、ビット軸方向に扁平刃部１２およびその延長線上におけるシャフト１１部分を切除すると共に、その扁平刃部１２およびその連続するシャフト１１の切除部分１５″に対し、ねじ頭部３０ａのビット嵌合溝３２に対し弾力的に当接し、前記嵌合溝３２に嵌入する扁平刃部１２との相互作用によってねじ保持機能を有する弾性片１８を挿入配置するための案内通路２２を、前記扁平刃部１２および弾性片１８を囲繞するようにシャフト１１の外周に装着した保護スリーブ２０の一部における折曲成形部２１により構成したものである。このように前記弾性片１８を挿入配置するための案内通路２２を構成することにより、ねじ保持機能を有する弾性片１８の取付けを簡便に達成することができる。
【００４５】
【実施例９】
図１６および図１７は、本発明に係るねじ保持形ドライバービット１０の弾性片１８を挿入配置する案内通路のさらに別の実施例を示すものである。本実施例においては、前述した実施例１のねじ保持形ドライバービット１０の組立てに際し、いずれかの扁平刃部１２に対し、ビット軸方向に扁平刃部１２およびその延長線上におけるシャフト１１部分を切除すると共に、その扁平刃部１２およびその連続するシャフト１１の切除部分１５″に対し、逆Ｕ字形の弾性片保持ピン２３を装着することにより、ねじ頭部３０ａのビット嵌合溝３２に対し弾力的に当接し、前記嵌合溝３２に嵌入する扁平刃部１２との相互作用によってねじ保持機能を有する弾性片１８を挿入配置するための案内通路２４を構成したものである。このように前記弾性片１８を挿入配置するための案内通路２４を構成することによっても、ねじ保持機能を有する弾性片１８の取付けを簡便に達成することができる。
【００４６】
【実施例１０】
図１８は、本発明に係るねじ保持形ドライバービットのさらに別の実施例を示すものである。すなわち、本実施例においては、前述した各実施例のねじ保持形ドライバービット１０において、長溝１６内にねじ保持機能を有する弾性片１８を挿入配置したシャフト１１の外周に、前記扁平刃部１２と弾性片１８とによって保持するねじ３０のねじ頭部３０ａを囲繞するねじ保持スリーブ４０を、ビット軸方向にコイルばね４２を介して弾力的に偏位可能に装着した構成としたものである。
【００４７】
従って、このように構成した本実施例のねじ保持形ドライバービット１０においては、図１８に示すように、ねじ架台４４に多数整列懸架された所望のねじ３０のねじ頭部３０ａに対し、ねじ保持スリーブ４０の先端部を、その上方から囲繞するよう押圧当接することにより、前記ねじ頭部３０ａをねじ保持スリーブ４０により位置決め保持した状態で、ねじ保持形ドライバービット１０の扁平刃部１２の先端部１２ａおよび弾性片１８の先端部１８ａを、ビット嵌合溝３２に対して円滑かつ確実に嵌合させて、ねじ保持操作を迅速に達成することができる。しかも、このようにねじ保持操作後に、保持したねじを所望のねじ取付け対象物に対して移動させる場合において、前記ねじ保持形ドライバービット１０の扁平刃部の先端部１２ａおよび弾性片１８の先端部１８ａに保持されたねじ３０は、ねじ保持スリーブ４０で囲繞保持され、安全かつ確実にねじ取付け対象物まで移動させることができる。
【００４８】
以上、本発明の好適な実施例についてそれぞれ説明したが、本発明は前記各実施例に限定されることなく、例えば弾性片の形状や寸法およびこの弾性片を挿入配置するための案内通路の構成等について種々の構造および方式を採用することができるばかりでなく、その他本発明の精神を逸脱しない範囲内において、多くの設計変更を行うことができることは勿論である。
【００４９】
【発明の効果】
前述した実施例から明らかな通り、本発明に係るねじ保持形ドライバービットは、先端部においてほぼ垂直な端縁部を形成した複数の扁平刃部を備え、これらの扁平刃部の先端中心部を円錐状の突起部として構成し、前記いずれかの扁平刃部に対しビット軸方向に扁平刃部を切除すると共に、その扁平刃部の切除部分のほぼ延長上において連続するシャフト部分に所要長さの案内通路としての長溝を刻設し、前記長溝内に、前記ねじ頭部のビット嵌合溝に対し弾力的に当接し、前記ビット嵌合溝に嵌入する扁平刃部との相互作用によって、ねじ保持機能を有する弾性片を挿入配置した構成としたことにより、カムアウト現象を有効に防止することができ、しかも簡単な構成で低コストに製造することができると共に、常に適正かつ迅速なねじ締め作業を可能にして、作業能率を著しく向上することができるねじ保持形ドライバービットを得ることができる。
【００５０】
また、本発明に係るねじ保持形ドライバービットによれば、ドライバービットの扁平刃部に対しビット軸方向に扁平刃部を切除して所要長さの長溝を刻設し、この長溝内にねじ保持機能を有する弾性片を挿入配置するという、比較的簡単な構成であるため、製造並びにメンテナンスが容易である。しかも、ねじ保持に際しては、ドライバービットの先端部における扁平刃部を嵌合させることにより、前記弾性片の圧接弾力のみを利用しているため、従来のような磁石や空気等による吸引力の併用を全く必要とすることなく、確実かつ安定したねじ保持機能を発揮させることができる。
【００５１】
さらに、本発明に係るねじ保持形ドライバービットとねじとの組合せによれば、ドライバービットの扁平刃部および弾性片を、ねじのビット嵌合溝に直接嵌合させることにより確実なねじ保持機能を発揮するため、カムアウト現象やねじ等の破損を生じることなく、ドライバービットの回動力をねじに対して円滑に伝達して、常に適正なトルクによるねじ締め操作を迅速に達成することができる。しかも、硬軟各種の材料からなるねじの取付け対象物に対して、常に適正なトルクにより確実なねじの締付け操作を行うことができるばかりでなく、ねじの破損を大幅に低減することができ、ねじ締め作業の安全性と作業能率の向上を、容易かつ経済的に達成することができる。
【図面の簡単な説明】
【図１】本発明に係るねじ保持形ドライバービットの一実施例を示す要部断面側面図である。
【図２】図１に示すねじ保持形ドライバービットのビット先端の端面図である。
【図３】図１に示すねじ保持形ドライバービットの III−III 線断面図である。
【図４】図１に示すねじ保持形ドライバービットの右側面から見た要部断面側面図である。
【図５】本発明に係るねじ保持形ドライバービットに適用するねじの一実施例を示すものであって、ねじ保持形ドライバービットによるねじ保持状態におけるねじ頭部の要部断面平面図である。
【図６】図５に示すねじの頭部におけるねじ保持形ドライバービットによるねじ保持への移行状態を示すねじ頭部の要部断面側面図である。
【図７】本発明に係るねじ保持形ドライバービットの変形例を示すビット先端の端面図である。
【図８】図７に示すねじ保持形ドライバービットの要部断面側面図である。
【図９】図８に示すねじ保持形ドライバービットのさらに別の変形例を示す要部断面側面図である。
【図１０】本発明に係るねじ保持形ドライバービットの他の実施例を示すビット先端の端面図である。
【図１１】図１０に示すねじ保持形ドライバービットの要部断面側面図である。
【図１２】本発明に係るねじ保持形ドライバービットに適用するねじの別の実施例を示すものであって、ねじ保持形ドライバービットによるねじ保持状態におけるねじ頭部の要部断面平面図である。
【図１３】本発明に係るねじ保持形ドライバービットとこれに適合するねじの別の実施例を示すものであって、ねじ保持形ドライバービットとねじとの保持状態におけるねじ頭部の要部断面平面図である。
【図１４】本発明に係るねじ保持形ドライバービットとこれに適合するねじのさらに別の実施例を示すものであって、ねじ保持形ドライバービットとねじとの保持状態におけるねじ頭部の要部断面平面図である。
【図１５】本発明に係るねじ保持形ドライバービットの弾性片を挿入配置する案内通路の別の実施例を示すビット先端の端面図である。
【図１６】本発明に係るねじ保持形ドライバービットの弾性片を挿入配置する案内通路のさらに別の実施例を示すビット先端の端面図である。
【図１７】図１６に示すねじ保持形ドライバービットのビット先端の端面図である。
【図１８】本発明に係るねじ保持形ドライバービットのさらに他の実施例を示す要部断面側面図である。
【符号の説明】
１０  ねじ保持形ドライバービット
１０Ａ、１０Ｂ、１０Ｃ  ねじ保持形ドライバービット
１１  シャフト
１１ａ  切欠部
１２  扁平刃部
１２ａ  扁平刃部の先端部
１２′  変形六角形の角部
１３  端縁部
１４  突起部
１５  切除部分
１５′  切除部分
１５″  切除部分
１６  長溝（案内通路）
１６ａ  長溝の後端部
１７Ａ  係止凹部
１７Ｂ  係止溝
１８  弾性片
１８ａ  弾性片の先端部
１８ｂ  弾性片の屈曲部
１８ｃ  弾性片の後端部
１９Ａ  係止突起
１９Ｂ  係止突起
２０  保護スリーブ
２０ａ  装着端部
２１  折曲成形部
２２  案内通路
２３  弾性片保持ピン
２４  案内通路
３０  ねじ
３０Ａ、３０Ｂ、３０Ｃ  ねじ
３０ａ  ねじ頭部
３０ｂ  ねじ頸部
３２  ビット嵌合溝
３２ａ  開口端縁部
３３ａ  端壁部
３３ｂ  両側壁部
３４  水平な段部
３５  円錐底部
４０  ねじ保持スリーブ
４２  コイルばね
４４  ねじ架台
【図１】
0004280457.tif 000002
【図２】
0004280457.tif 000003
【図３】
0004280457.tif 000004
【図４】
0004280457.tif 000005
【図５】
0004280457.tif 000006
【図６】
0004280457.tif 000007
【図７】
0004280457.tif 000008
【図８】
0004280457.tif 000009
【図９】
0004280457.tif 000010
【図１０】
0004280457.tif 000011
【図１１】
0004280457.tif 000012
【図１２】
0004280457.tif 000013
【図１３】
0004280457.tif 000014
【図１４】
0004280457.tif 000015
【図１５】
0004280457.tif 000016
【図１６】
0004280457.tif 000017
【図１７】
0004280457.tif 000018
【図１８】
0004280457.tif 000019